(57)【要約】      （修正有）【課題】バットでボールを打っても遠くに飛んでいかず、かつ打った後のボールが直ぐに元の位置に戻り、一人でも安全にバッティングの練習をすることができる、健康バッティング練習装置を提供する。【解決手段】球技用のボールＢを先端で吊り下げる吊下用ロープ２を中に通した、可撓性を有する可撓性チューブ３と、可撓性チューブ３を、その中に通して所定の高さに維持する管状アーム部４と、上部６ａで管状アーム部４を支持すると共に、下部６ｂは台座５に直立状態で着脱自在に取り付ける支柱部６とから成る。管状アーム部４の先端口４ａ及び後端口４ｂから可撓性チューブ３と共に吊下用ロープ２を引き出し、先端口４ａ側の吊下用ロープ２先端にボールＢを吊り下げ、その高さと、可撓性チューブ３の突出長さを調節し得るように構成した。【選択図】図１
0003152743.tif 000002
【実用新案登録請求の範囲】
【請求項１】
硬式野球、軟式野球又はソフトボールなど球技用のボール（Ｂ）の打撃練習に使用する健康バッティング練習装置（１）であって、
球技用のボール（Ｂ）を先端で吊り下げる吊下用ロープ（２）と、
前記吊下用ロープ（２）を中に通して、打ったボール（Ｂ）の動作を規制する、可撓性を有する可撓性チューブ（３）と、
前記可撓性チューブ（３）を、その中に通して所定の高さに維持する、略パイプ状の管状アーム部（４）と、
上部（６ａ）で前記管状アーム部（４）を支持すると共に、下部（６ｂ）は台座（５）に直立状態で着脱自在に取り付ける支柱部（６）と、から成り、
前記管状アーム部（４）の先端口（４ａ）から、可撓性チューブ（３）と共に吊下用ロープ（２）を引き出してボール（Ｂ）を吊り下げ、
一方、該管状アーム部（４）の後端口（４ｂ）から可撓性チューブ（３）と共に吊下用ロープ（２）を引き出し、該吊下用ロープ（２）の後端を前記支柱部（６）の途中に着脱自在に掛け止め、該吊下用ロープ（２）先端のボール（Ｂ）の高さと、該可撓性チューブ（３）の突出長さを調節し得るように構成した、ことを特徴とする健康バッティング練習装置。
【請求項２】
前記吊下用ロープ（２）の先端を、貫通孔を開けたボール（Ｂ）に通し、該ボール（Ｂ）が外れない抜止め用の金具（７）を該吊下用ロープ（２）に取り付けた、ことを特徴とする請求項１の健康バッティング練習装置。
【請求項３】
前記支柱部（３１）は、その上部に取り付けた管状アーム部（４）の高さを調節できるように、下側支柱部（３１ｂ）に径の異なる上側支柱部（３１ａ）を上下動自在に挿入し、その繰り出し長さを調節するように構成したものである、ことを特徴とする請求項１の健康バッティング練習装置。
【請求項４】
前記台座（５）は、略円板部（１０）の中心に取り付けた、錘を兼ねる略円柱状の支持部（１１）に、前記支柱部（６）の下端を挿抜自在に差し込める嵌合孔（１２）を形成したものである、ことを特徴とする請求項１の健康バッティング練習装置。
【請求項５】
前記略円板部（１０）に、その運搬時、その設置の際に手指を差し込む、設置作業用孔（１５）を２個所開けた、ことを特徴とする請求項４の健康バッティング練習装置。
【考案の詳細な説明】
【技術分野】
【０００１】
本考案は、硬式、軟式野球又はソフトボールなどのバッティングの練習装置に係り、特に一人で練習することができ、子供からお年寄りまで広い年齢層の人が使用することができる健康バッティング練習装置に関する。
【背景技術】
【０００２】
野球、ソフトボールは、本来屋外において複数の人が対戦するスポーツである。これらのスポーツを楽しむために日頃から個人的に練習をすることが多い。例えば、投げるためのピッチングの練習は、キャッチボールにより広い場所がなくても十分練習することができる。バッティングの練習としては、バットの素振り練習がある。しかし、ボールがバットの芯に当たり、ヒット又はホームランになると、大変な爽快感を得ることができる。そこで、バッティングの練習は、広い場所が必要である。なお、狭い場所でバッティングの練習をすると、例えばボールが民家に入り、通行人に当たり、物を壊すことがあり大変危険であった。
【０００３】
このような硬式・軟式野球やソフトボールの健康バッティング練習装置に関する技術としては、例えば特許文献１の実用新案登録第３１１４１８７号公報「バッティングマシーン」のように、ボールをボール供給位置に順に供給するボール供給源と、ボール供給位置のボールを当該ボール供給位置よりも高位置に設定されたボール受渡位置まで移送するボール移送機構と、ボール受渡位置のボールを受けて当該バッティングマシーンの設置面に対して横方向に転動させ、先端の落下穴から落下させる横通路と、ボール移送機構を駆動する駆動源とを備えたバッティングマシーンが提案されている。
【特許文献１】特願２００５−９１０８９号公報
【考案の開示】
【考案が解決しようとする課題】
【０００４】
特許文献１の「バッティングマシーン」は、本格的な野球の練習装置で、球場又は室内練習場で使用するものである。このの練習装置は、狭い場所、例えば個人的に自宅の庭先、マンションの屋上で簡単に練習する際には不向きであった。
【０００５】
また、特許文献１の「バッティングマシーン」では、バットで打ったボールがどの方向に飛ぶか分からず、広い範囲にネットを張る必要があった。この「バッティングマシーン」は一人で練習する練習装置としては不向きであった。
【０００６】
野球、ソフトボールは子供からお年寄りまで広い年齢層に人気のあるスポーツである。野球、ソフトボールの打撃の練習も、キャッチボールのように簡単にできる練習装置の案出が望まれていた。そこで、本考案の考案者は、ボールをロープに取り付け、打ったボールが遠くへ行かないようにすることに着目した。しかも、打った後のボールが直ぐに元の位置に戻すことができる練習装置を考案した。
【０００７】
本考案は、かかる問題点を解決するために創案されたものである。すなわち、本考案の目的は、ロープにボールを取り付け、このロープに簡単な工夫を施すこで、バットでボールを打っても遠くに飛んでいかず、かつ打った後のボールが直ぐに元の位置に戻るようにして、安全にバッティングの練習をすることができ、しかも一人でのバッティングの練習を可能にした健康バッティング練習装置を提供することにある。
【課題を解決するための手段】
【０００８】
本考案によれば、硬式野球、軟式野球又はソフトボールなど球技用のボール（Ｂ）の打撃練習に使用する健康バッティング練習装置（１）であって、球技用のボール（Ｂ）を先端で吊り下げる吊下用ロープ（２）と、前記吊下用ロープ（２）を中に通して、打ったボール（Ｂ）の動作を規制する、可撓性を有する可撓性チューブ（３）と、前記可撓性チューブ（３）を、その中に通して所定の高さに維持する、略パイプ状の管状アーム部（４）と、上部（６ａ）で前記管状アーム部（４）を支持すると共に、下部（６ｂ）は台座（５）に直立状態で着脱自在に取り付ける支柱部（６）と、から成り、前記管状アーム部（４）の先端口（４ａ）から、可撓性チューブ（３）と共に吊下用ロープ（２）を引き出してボール（Ｂ）を吊り下げ、一方、該管状アーム部（４）の後端口（４ｂ）から可撓性チューブ（３）と共に吊下用ロープ（２）を引き出し、該吊下用ロープ（２）の後端を前記支柱部（６）の途中に着脱自在に掛け止め、該吊下用ロープ（２）先端のボール（Ｂ）の高さと、該可撓性チューブ（３）の突出長さを調節し得るように構成した、ことを特徴とする健康バッティング練習装置が提供される。
【０００９】
例えば、前記吊下用ロープ（２）の先端を、貫通孔を開けたボール（Ｂ）に通し、該ボール（Ｂ）が外れない抜止め用の金具（７）を該吊下用ロープ（２）に取り付けた。
前記支柱部（３１）は、その上部に取り付けた管状アーム部（４）の高さを調節できるように、下側支柱部（３１ｂ）に径の異なる上側支柱部（３１ａ）を上下動自在に挿入し、その繰り出し長さを調節するように構成したものである。
前記台座（５）は、略円板部（１０）の中心に取り付けた、錘を兼ねる略円柱状の支持部（１１）に、前記支柱部（６）の下端を挿抜自在に差し込める嵌合孔（１２）を形成したものである。
前記略円板部（１０）に、その運搬時、その設置の際に手指を差し込む、設置作業用孔（１５）を２個所開けたものが好ましい。
【考案の効果】
【００１０】
本考案の構成では、ボール（Ｂ）を吊り下げる吊下用ロープ（２）、管状アーム部（４）、支柱部（６）と、台座（５）とから成る簡単な構成であるため、容易に運搬し、組み立てることができる。そのため、自宅の庭先、マンションの屋上のような狭い場所でも簡単にバッティング練習をすることができる。しかも、ボール（Ｂ）は吊下用ロープ（２）に吊り下げられているのでボール（Ｂ）をバットで打っても、この吊下用ロープ（２）の長さの範囲でしか移動しない。打ったボール（Ｂ）は、バッティングの練習者には当たらず、周囲へも飛んでいかないので、安全にバッティング練習をすることができる。
【００１１】
ボール（Ｂ）を吊り下げる吊下用ロープ（２）は、可撓性チューブ（３）内に通して管状アーム部（４）の先端口（４ａ）から吊り下げているので、この可撓性チューブ（３）が打った後のボール（Ｂ）の動作を規制することができる。すなわち、ロープのみのように動く方向が定まらず打者が飛球を除けることを防止できる。打ったボール（Ｂ）が管状アーム部（４）に巻き付くという不具合もなく、直ぐに元の位置に戻りやすく、中断することなく、バッティング練習をすることができる。
【００１２】
管状アーム部（４）を上部で支持する支柱部（６）は、その管状アーム部（４）の長さ（高さ）を伸縮自在に調節できるので、背の高い大人から背の低い子供まで様々な使用者に対応することができる。更に、高め、低めの球への対応にも適している。
また、支柱部（６）の上部から管状アーム部（４）が長く飛び出した構造であるために、内角の球を打つ練習にも対応することができる。
【図面の簡単な説明】
【００１３】
【図１】本考案の健康バッティング練習装置を示す全体斜視図である。
【図２】本考案の健康バッティング練習装置を示し、（ａ）は装置全体の一部断面を含む分解正面図、（ｂ）はボール部分の断面図である。
【図３】本考案の健康バッティング練習装置の使用状態を示す正面図であり、（ａ)は低めのボールに調節した状態、（ｂ）は高めのボールに調節した状態である。
【図４】管状アーム部の他の実施の形態を示す正面図である。
【図５】実施例２の支柱部の長さを調節できるように構成した練習装置の正面図を示し、（ａ）は支柱部を伸ばす前の状態、（ｂ）は支柱部を伸ばした後の状態である。
【図６】本考案の健康バッティング練習装置にソフトボール以外の被打物を吊下用ロープに繋いだ状態を示す拡大正面図であり、（ａ)はテニスのボール、（ｂ）はバトミントンのシャトルコック、（ｃ）はサッカーボールである。
【考案を実施するための最良の形態】
【００１４】
本考案の健康バッティング練習装置は、硬式野球、軟式野球又はソフトボールなど球技用のボールを吊り下げる吊下用ロープと、この吊下用ロープを吊る管状アーム部と、この管状アーム部を上部に取り付けた支柱部と、この支柱部を支える台座とから成る装置である。
【実施例１】
【００１５】
本考案の実施例について図面を用いて説明する。
図１は本考案の健康バッティング練習装置を示す斜視図である。図２は本考案の健康バッティング練習装置を示し、（ａ）は装置全体の一部断面を含む分解正面図、（ｂ）はボール部分の拡大断面図である。
本考案の健康バッティング練習装置１は、球技用のボールＢを吊り下げる吊下用ロープ２と、この吊下用ロープ２をその中に通す可撓性チューブ３と、この可撓性チューブ３をその中に通して所定の高さに維持する管状アーム部４と、この管状アーム部４をその上部６ａで支持すると共に、その下部６ｂは、台座５に直立状態で支持される支柱部６とから成る装置である。この図１から図５までの図示例は、ボールＢとしてソフトボールを用いた例を示している。
【００１６】
吊下用ロープ２は、布製、合成樹脂製のロープである。吊下用ロープ２は、細すぎると強度の点で信頼性が低下するおそれがある。また、細すぎると捻れやキンクができるおそれがある。そこで、この吊下用ロープ２は、ある程度の重量を有し、捻れ、キンクができない程度の太さのものが良い。ある程度の重量により、打撃後のボールＢの動きにも所定の方向性を付けることができる。例えば５ｍｍ〜１０ｍｍ程度の太さのものが適している。
【００１７】
図２（ｂ）の拡大断面図に示すように、硬式野球、軟式野球又はソフトボールなど球技用のボールＢに貫通孔を開け、この貫通孔に吊下用ロープ２の先端を通して結び目７を作り、抜け止めとする。ボールＢに貫通孔を開けるが、貫通孔の一端に窪みを形成し、この窪みに結び目７が納まるようにする。このように構成することで、ボールＢの表面から吊下用ロープ２の結び目７が突出せず、バッティング練習の際にバットがこの結び目７に当たり、バットを損傷させるという不具合が解消される。また、打撃の際にバットに伝わる違和感が生じない。
【００１８】
可撓性チューブ３は、本考案における特徴的な構成物であり、吊下用ロープ２をその中に通して保護する機能を有する。この可撓性チューブ３は、吊下用ロープ２より太い内径を有し、かつ可撓性を有するものが適している。図示例のようなコイルスプリングが適している。または水道水を散布するホースのような合成樹脂製のチューブなどで代用することができる。この可撓性チューブ３は、後述する管状アーム部４の先端口４ａ部分で吊下用ロープ２が擦れ、磨耗して切断することを防止する機能も有する。
【００１９】
吊下用ロープ２のみでボールＢを吊り下げ、このボールＢを打つと、そのボールＢが支柱部６に当たって跳ね返り、あるいは管状アーム部４に巻き付くといった不具合が生じる。そこで、可撓性チューブ３がこのような動作を規制し、少なくとも打ったボールＢが管状アーム部４に巻き付くという不具合は解消する。
【００２０】
管状アーム部４は、パイプ材から成るアームであり、その後端口４ｂは支柱部６の上部に略水平になるように取り付けられている。図示例では、補強材８を支柱部６の上部と管状アーム部４の途中とに掛け渡し、管状アーム部４の補強している。
【００２１】
この管状アーム部４内に可撓性チューブ３と共に吊下用ロープ２を通し、吊下用ロープ２の他端は、支柱部６の途中に設けたＴ字部材９に掛け止める。この吊下用ロープ２の掛け止める位置を調整することにより、管状アーム部４の先端口４ａから、可撓性チューブ３と共に吊下用ロープ２を引き出す長さを調節することができる。
【００２２】
支柱部６は、その上部６ａで管状アーム部４を逆Ｌ字状に取り付ける。支柱部６の下部６ｂは、台座５に直立状態に取り付けて支持される。この支柱部６は例えば金属製のパイプ材から成る。
【００２３】
台座５は、図２（ａ）の断面図部分に示すように、支柱部６を直立状態で支持するものである。本考案の台座５は、略円板部１０の中心に、錘を兼ねる略円柱状の支持部１１を取り付けた。この支持部１１には、上述した支柱部６の下端６ｂを挿抜自在に差し込める嵌合孔１２をその中心に形成した。略円板部１０と支持部１１は、例えば鋳物により重量の重い材質のものである。
【００２４】
支柱部６は、支持部１１に開けた回転止め用の貫通孔にピン１３を差し込んで、支柱部６の軸回りの不要な回転をしないようにする。このピン１３は支持部１１を台座５（支持部１１）から分離するときに抜き取る。
【００２５】
また、略円板部１０は本考案の健康バッティング練習装置１の転倒を防止すべくある程度の広さを有する。この略円板部１０には、その運搬時、その設置の際に手指を差し込む、設置作業用孔１５を２個所あけた。これは本考案の健康バッティング練習装置１の設置の際に容易に取り扱えるようにするためである。
【００２６】
図３は本考案の健康バッティング練習装置の使用状態を示す正面図であり、（ａ)は低めのボールに調節した状態、（ｂ）は高めのボールに調節した状態である。
本考案の健康バッティング練習装置１の使用状態を説明する。先ず図３（ａ）に示すように、管状アーム部４の先端口４ａから長く吊下用ロープ２と可撓性チューブ３を引き出せば、ボールＢを低い位置に調節することができる。低めのボールＢのバッティング練習をするときに適している。または練習者の背が低いときに適している。
【００２７】
逆に、図３（ｂ）に示すように、管状アーム部４の先端口４ａから吊下用ロープ２と可撓性チューブ３を短く引き出したときは、ボールＢを高い位置に調節することができる。高めのボールＢのバッティング練習をするときに適している。または練習者の背が高いときに適している。このように練習の内容、又は練習者の伸張に応じてボールＢの位置を容易に調節することができる。
【００２８】
図４は管状アーム部の他の実施の形態を示す正面図である。
管状アーム部４の形状は、図１，２に示したように、管状アーム部４の先端口４ａは水平方向から下方へ曲折した状態のものに限定されない。例えば、図４に示すように単純な１本の直線パイプからなるように、直線状に開口した先端口２１ａと後端口２１ｂを構成したものでもよい。このような管状アーム部２１の先端口２１ａの形状にすると、この先端口１１ａでボールＢが輪を描いて回転するようになる。図１，２に示した管状アーム部４とは異なったバッティング練習も可能になる。
【実施例２】
【００２９】
図５は実施例２の支柱部の長さを調節できるように構成した練習装置の正面図を示し、（ａ）は支柱部を伸ばす前の状態、（ｂ）は支柱部を伸ばした後の状態である。
この実施例２の支柱部３１は、外径の異なる２種類のパイプ材を連結し、その繰り出し長さをボルト・ナット３２またはピン等で調節し、全体の長さ（高さ）を調節することができる。このように支柱部３１の長さ（高さ）を調節することで、その上部の管状アーム部４の高さを調節できる。そこで、背の高い大人から背の低い子供まで様々な使用者に対応することができる。
【００３０】
この実施例２の支柱部３１は、管状アーム部４を上部に取り付けた上側支柱部３１ａと、台座５に差し込む下側支柱部３１ｂとからなる。上側支柱部３１ａにその長さ方向に所定間隔毎に挿通孔３３を複数個開ける。下側支柱部３１ｂの上部には、この挿通孔３３から差し込まれるボルト・ナット３２またはピン等を貫通させる貫通孔を開けている（図示していない）。この上側支柱部３１ａの挿通孔３３の位置を変えることにより、上側支柱部３１ａと下側支柱部３１ｂとの全体の長さを伸縮させることができる。
【００３１】
実施例２のように、支柱部３１全体が長く（高く）なると、練習装置の重心位置も高くなり、図１から図４に示した練習装置と比較して不安定になるおそれがある。そこで、実施例２では支持部１１を太くして重たくした。このように支持部１１を重たくしたので、これを持ちやすくするために支持部１１の上部に鍔部１４を設けた。この鍔部１４は重たい支持部１１を運ぶときに手指を入れて持つ部分になる。これにより支持部１１を安全に運搬でき、かつ設置することができる。
【００３２】
図６は本考案の健康バッティング練習装置にソフトボール以外の被打物を吊下用ロープに繋いだ状態を示す拡大正面図であり、（ａ)はテニスのボール、（ｂ）はバトミントンのシャトルコック、（ｃ）はサッカーボールである。
本考案の健康バッティング練習装置１は、上述したように吊下用ロープ２に取り付けるものは、硬式、軟式野球又はソフトボールのボールＢに限定されない。図６（ａ）に示すように、ラケットで打つテニスボール４１、図６（ｂ）に示すように、バトミントンのシャトルコック４２を吊り下げることができる。
【００３３】
更に、図６（ｃ）に示すように、吊下用ロープ２にサッカーボール４３を吊り下げることができる。なお、サッカーボール４３のように内部に空気を充填したボールでは、内部に貫通孔を開けて、吊下用ロープ２を通すことができない。そこで、図示するように網材４４の中に入れて吊り下げる手段がある。または強靭な材質の袋材に入れることにより、キックの練習は勿論のこと、ヘッディングの練習も可能になる。
図示例以外にも、バット、ラケット等で打撃練習が可能なスポーツであれば、本考案の健康バッティング練習装置１に用いることができる。
【００３４】
なお、本考案の健康バッティング練習装置１は、吊下用ロープ２にボールＢを取り付け、この吊下用ロープ２を吊り下げる簡単な構造にすることで、バットでボールＢを打っても遠くに飛んでいかず、安全にバッティングの練習をすることができる構造であれば、上述した考案の実施の形態に限定されず、本考案の要旨を逸脱しない範囲で種々変更できることは勿論である。
【産業上の利用可能性】
【００３５】
本考案の健康バッティング練習装置は、庭先やマンション、ビルの屋上で手軽にバッティング練習ができるので、お年寄りの健康回復あるいはストレス解消としての健康増進用の器具としても利用することができる。
【符号の説明】
【００３６】
１  健康バッティング練習装置
２  吊下用ロープ
３  可撓性チューブ
４  管状アーム部
４ａ  管状アーム部の先端口
４ａ  管状アーム部の後端口
５  台座
６  支柱部
６ａ  支柱部の上部
６ｂ  支柱部の下部
７  金具
１０  略円板部
１１  支持部
１２  嵌合孔
１５  設置作業用孔
３１  支柱部
３１ａ  上側支柱部
３１ｂ  下側支柱部
Ｂ  ボール
【図１】
0003152743.tif 000003
【図２】
0003152743.tif 000004
【図３】
0003152743.tif 000005
【図４】
0003152743.tif 000006
【図５】
0003152743.tif 000007
【図６】
0003152743.tif 000008
【手続補正書】
【提出日】平成21年6月9日(2009.6.9)
【手続補正１】
【補正対象書類名】明細書
【補正対象項目名】０００９
【補正方法】変更
【補正の内容】
【０００９】
また、前記支柱部（６）に代え、前記管状アーム部（４）を上側支柱部（３１ａ）で支持すると共に、該管状アーム部（４）の高さを調節できるように、該上側支柱部（３１ａ）にこれと径の異なる下側支柱部（３１ｂ）を上下動自在に挿入し、その繰り出し長さを調節し得るように構成した支柱部（３１）と、前記支柱部（３１）の下側支柱部（３１ｂ）を、直立状態で着脱自在に支持する台座（５）と、から成るものでもよい。
前記吊下用ロープ（２）の先端を、貫通孔を開けたボール（Ｂ）に通し、該ボール（Ｂ）が外れない抜止め用の金具（７）を該吊下用ロープ（２）に取り付けた。
前記台座（５）は、略円板部（１０）の中心に取り付けた、錘を兼ねる略円柱状の支持部（１１）に、前記支柱部（６）の下端を挿抜自在に差し込める嵌合孔（１２）を形成したものである。
前記略円板部（１０）に、その運搬時、その設置の際に手指を差し込む、設置作業用孔（１５）を２個所開けたものが好ましい。
【手続補正２】
【補正対象書類名】明細書
【補正対象項目名】００１２
【補正方法】変更
【補正の内容】
【００１２】
管状アーム部（４）を上部で支持する支柱部（３１）が、その管状アーム部（４）の長さ（高さ）を伸縮自在に調節できるものでは、背の高い大人から背の低い子供まで様々な使用者に対応することができる。更に、高め、低めの球への対応にも適している。
また、支柱部（６、３１）の上部から管状アーム部（４）が長く飛び出した構造であるために、内角の球を打つ練習にも対応することができる。
【手続補正３】
【補正対象書類名】実用新案登録請求の範囲
【補正対象項目名】全文
【補正方法】変更
【補正の内容】
【実用新案登録請求の範囲】
【請求項１】
硬式野球、軟式野球又はソフトボールなど球技用のボール（Ｂ）の打撃練習に使用する健康バッティング練習装置（１）であって、
球技用のボール（Ｂ）を先端で吊り下げる吊下用ロープ（２）と、
前記吊下用ロープ（２）を中に通して、打ったボール（Ｂ）の動作を規制する、可撓性を有する可撓性チューブ（３）と、
前記可撓性チューブ（３）を、その中に通して所定の高さに維持する、略パイプ状の管状アーム部（４）と、
上部（６ａ）で前記管状アーム部（４）を支持すると共に、下部（６ｂ）は台座（５）に直立状態で着脱自在に取り付ける支柱部（６）と、から成り、
前記管状アーム部（４）の先端口（４ａ）から、可撓性チューブ（３）と共に吊下用ロープ（２）を引き出してボール（Ｂ）を吊り下げ、
一方、該管状アーム部（４）の後端口（４ｂ）から可撓性チューブ（３）と共に吊下用ロープ（２）を引き出し、該吊下用ロープ（２）の後端を前記支柱部（６）の途中に着脱自在に掛け止め、該吊下用ロープ（２）先端のボール（Ｂ）の高さと、該可撓性チューブ（３）の突出長さを調節し得るように構成した、ことを特徴とする健康バッティング練習装置。
【請求項２】
硬式野球、軟式野球又はソフトボールなど球技用のボール（Ｂ）の打撃練習に使用する健康バッティング練習装置（１）であって、
球技用のボール（Ｂ）を先端で吊り下げる吊下用ロープ（２）と、
前記吊下用ロープ（２）を中に通して、打ったボール（Ｂ）の動作を規制する、可撓性を有する可撓性チューブ（３）と、
前記可撓性チューブ（３）を、その中に通して所定の高さに維持する、略パイプ状の管状アーム部（４）と、
前記管状アーム部（４）を上側支柱部（３１ａ）で支持すると共に、該管状アーム部（４）の高さを調節できるように、該上側支柱部（３１ａ）にこれと径の異なる下側支柱部（３１ｂ）を上下動自在に挿入し、その繰り出し長さを調節し得るように構成した支柱部（３１）と、
前記支柱部（３１）の下側支柱部（３１ｂ）を、直立状態で着脱自在に支持する台座（５）と、から成り、
前記管状アーム部（４）の先端口（４ａ）から、可撓性チューブ（３）と共に吊下用ロープ（２）を引き出してボール（Ｂ）を吊り下げ、
一方、該管状アーム部（４）の後端口（４ｂ）から可撓性チューブ（３）と共に吊下用ロープ（２）を引き出し、該吊下用ロープ（２）の後端を前記支柱部（３１）の途中に着脱自在に掛け止め、該吊下用ロープ（２）先端のボール（Ｂ）の高さと、該可撓性チューブ（３）の突出長さを調節し得るように構成した、ことを特徴とする健康バッティング練習装置。
【請求項３】
前記吊下用ロープ（２）の先端を、貫通孔を開けたボール（Ｂ）に通し、該ボール（Ｂ）が外れない抜止め用の金具（７）を該吊下用ロープ（２）に取り付けた、ことを特徴とする請求項１又は２の健康バッティング練習装置。
【請求項４】
前記台座（５）は、略円板部（１０）の中心に取り付けた、錘を兼ねる略円柱状の支持部（１１）に、前記支柱部（６）の下端を挿抜自在に差し込める嵌合孔（１２）を形成したものである、ことを特徴とする請求項１又は２の健康バッティング練習装置。
【請求項５】
前記略円板部（１０）に、その運搬時、その設置の際に手指を差し込む、設置作業用孔（１５）を２個所開けた、ことを特徴とする請求項４の健康バッティング練習装置。
【手続補正４】
【補正対象書類名】図面
【補正対象項目名】図５
【補正方法】変更
【補正の内容】
【図５】
0003152743.tif 000009